(57)【要約】【課題】放送受信が困難な電波状況下において、地上放送受信からＩＰ網経由の高速無線データの受信に自動的に切り替えて、スムーズに放送受信するＴＶチューナ付携帯情報端末装置を提供する。【解決手段】放送データを高速移動無線通信網を介して受信する携帯情報端末復調モジュールと、１セグ復調モジュールと、該モジュールから出力される復調信号と携帯情報端末復調モジュールから出力される復調信号とを切り替える切替部と、装置全体の統括を行う制御部と、を備えており、前記切替部は、１セグ復調モジュールから出力される復調信号であるＴＳデータのフレーム誤り率が所定の値より低下した場合、自動的に前記携帯情報端末復調モジュールの出力信号に切り替え、途切れなく同一のチャンネルの番組を視聴する。【選択図】図１
2007259243.tif 000002
【特許請求の範囲】
【請求項１】
地上テレビ放送波を受信し、復調するテレビチューナ復調モジュールを備えたＴＶチューナ付携帯情報端末装置であって、
前記地上テレビ放送波を直接電波受信する代わりに、高速無線通信網を介して受信する携帯情報端末復調モジュールと、前記テレビチューナ復調モジュールから出力される復調信号と前記携帯情報端末復調モジュールから出力される復調信号とを切り替える切替部と、装置全体の統括制御を行う制御部と、を備え、
前記切替部は、前記テレビチューナ復調モジュールから出力される復調信号のデータ誤り率が所定の値以上となった場合又は受信強度が所定の値以下となった場合、同一のチャンネル番号の番組を視聴するように、自動的に前記携帯情報端末復調モジュールの復調信号に切り替えるようにしたことを特徴とするＴＶチューナ付携帯情報端末装置。
【請求項２】
前記切替部は、前記データ誤り率が、所定の値より低下した場合又は前記受信強度が所定の値以上となった場合、自動的に、元の前記地上テレビ放送波を直接電波受信する前記テレビチューナ復調モジュールの復調信号に切り替え、同一の番組を視聴するようにしたことを特徴とする請求項１に記載のＴＶチューナ付携帯情報端末装置。
【請求項３】
さらに、前記携帯情報端末復調モジュールに入力する高速無線信号が、前記テレビチューナ復調モジュールに入力する放送波信号より、時間的に遅れて、到達するため、前記切替部により、前記携帯情報端末復調モジュールから出力される復調信号に切り替えた時、予め前記テレビチューナ復調モジュールから出力される復調信号を所定の時間遅延させる信号遅延部を備え、
前記信号遅延部は、前記テレビチューナ復調モジュール及び前記携帯情報端末復調モジュールから出力される復調信号から放送サービス情報を抽出する放送サービス情報抽出手段を備え、該放送サービス情報抽出手段により放送サービス情報に含まれる時間情報であるフレーム情報に基づいて、遅延時間を算出し、略同一の番組を視聴するようにしたことを特徴とする請求項１又は請求項２に記載のＴＶチューナ付携帯情報端末装置。
【請求項４】
前記テレビチューナ復調モジュールのＴＶチューナは、１セグ放送を受信するＴＶチューナであることを特徴とする請求項１から請求項３のいずれか１項に記載のＴＶチューナ付携帯情報端末装置。
【発明の詳細な説明】
【技術分野】
【０００１】
本発明は、地上デジタル放送波の受信と高速ＩＰネットワークから配信される放送の受信とを、放送波の受信状態に応じて自動的に切り替えるＴＶチューナ付携帯情報端末装置に関する。
【背景技術】
【０００２】
近年、２０１１年には現行のアナログ放送の廃止に伴い、２００３年より、一部の地域において、地上デジタル放送が開始されているが、この地上デジタル放送の伝送方式として、マルチパスに強く周波数利用効率の良い日本独自のＢＳＴ−ＯＦＤＭ（Ｂａｎｄ  ＳｅｇｍｅｎｔｅｔｅｄＴｒａｎｓｍｉｓｓｉｏｎ−Ｏｔｈｏｇｏｎａｌ  Ｆｒｅｑｕｅｎｃｙ  Ｄｉｖｉｓｉｏｎ  Ｍｕｌｔｉｐｌｅｘｉｎｇ）方式が採用されている。
【０００３】
この方式により放送される地上デジタル放送は、画質によりモバイル端末向けの簡易動画放送（強階層）と固定受信向けのＨＤＴＶ放送(弱階層)に大きく分類され、１チャンネル当り約６ＭＨｚの帯域を１３のセグメントに分割して放送される。モバイル端末（携帯電話やＰＤＡ等）向けの放送は、上記１３セグメントの内、１つのセグメントを利用して放送されることから「１セグ放送」と呼ばれ、一方、１２セグメントを利用して放送されるＨＤＴＶ放送は、「１２セグ放送」と呼ばれている。
【０００４】
従来、アナログテレビ放送を視聴できる携帯情報端末（携帯電話）は、既に、使用されているが、上記「１セグ放送」は、２００６年４月に放送開始予定となっており、アナログテレビ放送や１２セグ放送に比較して、マルチパス等に強く、滑らかなＴＶ画像を受信することが期待でき、有望視されている。
【０００５】
しかし、「１セグ放送」受信可能な携帯情報端末でも、電波の行き届かないエリアが存在することが予想されており、雑音による受信Ｃ／Ｎの低下や干渉妨害による所要Ｃ／Ｎの上昇により正常な受信ができなくなるなどの受信環境状態が悪化した場合には、視聴を断念せざるを得ない場合もある。このように、放送電波受信が困難な場合は、特許文献１に開示されている車載用情報端末などで行われているように、音楽ＣＤ装置などの他の外部ソースに自動的に切り替えるようにしている。
【０００６】
また、特許文献２で開示するテレビ放送局から放送されるテレビ放送電波を受信するためのテレビ放送受信機能部と、通常の電話、メール、画像情報を含む通信データ等を通信キャリア、インターネット等のネットワークを介して他の情報端末装置と通信を行う移動通信機能部を備えた情報端末装置は、放送波の受信中に、受信環境状態が悪化し、視聴できなくなった場合に、上記テレビ放送電波を受信し、放送番組情報を記録する上記通信キャリア、インターネット等のネットワークと接続している記録サーバを含む記録装置に対して、テレビ放送番組の記録開始指示を送信し、受信環境状態が良好に戻った時点で、記録停止命令を送信する。
【０００７】
その後、情報端末装置は、上記記録装置の記録サーバに記録されていた電波障害等によって視聴することができなかった放送番組を受信し、視聴することが可能である。
【特許文献１】特開２０００−２２８６４４号公報
【特許文献２】特開２００４−１１２０７６号公報
【発明の開示】
【発明が解決しようとする課題】
【０００８】
しかしながら、上述した地上デジタル放送を受信する車載用情報端末においては、１２セグ放送を受信中に受信品質が非常に悪化した場合に、１２セグに比較してマルチパス等に強い１セグ放送の受信に切り替える試みを行っている例があるが、もともと、マルチパス等に強い１セグ放送を受信する携帯情報端末では、同じ放送設備から送られてくる電波の中で、さらに他の放送方式に切り替えることもできない。
【０００９】
また、特許文献２に開示されている情報端末装置の例では、受信環境状態が悪化した後、良好となるまでの期間の放送番組を取り込んで視聴することはできるが、番組終了後に視聴することになり、放送番組を途切れることなく、スムーズに視聴することができない。
【００１０】
また、受信状態が悪化と良好を繰り返すような状態の場合には、特に、番組の内容を把握する上で、分かりづらいものとなってしまう。
【００１１】
このように、視聴し続けていた放送番組の視聴を断念したり、視聴が不連続的に途切れたりした場合に、後で、その間の番組を視聴できたとしても、当然ながら、楽しんで番組を視聴するという訳にはいかない。
【００１２】
本発明は、斯かる実情に鑑み、１セグ放送の受信が困難な電波状況下において、動画像を受信する移動通信システム性能の大幅な向上が期待できる第３世代から第３．５世代に推移しつつある高速無線ＩＰ網経由の移動無線通信方式によるデータ受信に自動的に切り替えて、スムーズに放送番組を受信するＴＶチューナ付き携帯情報端末装置を提供することを目的とするものである。
【課題を解決するための手段】
【００１３】
本発明に係るＴＶチューナ付携帯情報端末装置は、上記目的を達成するために、以下の特徴を備えている。
【００１４】
すなわち、本発明に係るＴＶチューナ付携帯情報端末装置は、地上テレビ放送波を受信し、復調するテレビチューナ復調モジュールを備えたＴＶチューナ付携帯情報端末装置であって、前記地上テレビ放送波を直接電波受信する代わりに、高速無線通信網を介して受信する携帯情報端末復調モジュールと、前記テレビチューナ復調モジュールから出力される復調信号と前記携帯情報端末復調モジュールから出力される復調信号とを切り替える切替部と、装置全体の統括制御を行う制御部と、を備え、前記切替部は、前記テレビチューナ復調モジュールから出力される復調信号のデータ誤り率が所定の値以上となった場合又は受信強度が所定の値以下となった場合、同一のチャンネル番号の番組を視聴するように、自動的に前記携帯情報端末復調モジュールの復調信号に切り替えるようにしたことを特徴とする。
【００１５】
また、本発明に係るＴＶチューナ付携帯情報端末装置において、前記切替部は、前記データ誤り率が、所定の値より低下した場合又は前記受信強度が所定の値以上となった場合、自動的に、元の前記地上テレビ放送波を直接電波受信する前記テレビチューナ復調モジュールの復調信号に切り替え、同一の番組を視聴するようにしたことを特徴とする。
【００１６】
また、本発明に係るＴＶチューナ付携帯情報端末装置は、さらに、前記携帯情報端末復調モジュールに入力する高速無線信号が、前記テレビチューナ復調モジュールに入力する放送波信号より、時間的に遅れて、到達するため、前記切替部により、前記携帯情報端末復調モジュールから出力される復調信号に切り替えた時、予め前記テレビチューナ復調モジュールから出力される復調信号を所定の時間遅延させる信号遅延部を備え、前記信号遅延部は、前記テレビチューナ復調モジュール及び前記携帯情報端末復調モジュールから出力される復調信号から放送サービス情報を抽出する放送サービス情報抽出手段を備え、該放送サービス情報抽出手段により放送サービス情報に含まれる時間情報であるフレーム情報に基づいて、遅延時間を算出し、略同一の番組を視聴するようにしたことを特徴とする。
【００１７】
また、本発明に係るＴＶチューナ付携帯情報端末装置において、前記テレビチューナ復調モジュールのＴＶチューナは、１セグ放送を受信するＴＶチューナであることを特徴とする。
【発明の効果】
【００１８】
本発明に係るＴＶチューナ付携帯情報端末装置は、上述した構成を備えているため、以下の優れた効果を奏し得る。
【００１９】
即ち、本発明に係るＴＶチューナ付携帯情報端末装置によれば、テレビ放送電波を受信している際に、電波の受信環境が悪化した場合、インターネット、通信キャリア（広帯域移動無線通信網）を介して、高速データ通信に自動的に切替えて、受信の中断、中止もなく、連続して、テレビ放送を受信することが可能である。
【００２０】
また、本発明に係るＴＶチューナ付携帯情報端末装置によれば、テレビ放送電波の受信環境が元に戻った場合には、自動的に、テレビ放送電波を受信することができ、広帯域移動無線通信網による通信接続料金を低コストに抑えることが可能である。
【００２１】
また、本発明に係るＴＶチューナ付携帯情報端末装置によれば、テレビ放送電波の受信から高速移動無線通信網からの受信に切替えた場合に、配信される映像の遅延時間差を解消し、切替による違和感なく、スムーズに視聴することができる。
【００２２】
また、本発明に係るＴＶチューナ付携帯情報端末装置によれば、移動体における受信に強い１セグ放送を受信することが可能なため、従来のアナログ放送に比較して高品質のテレビ放送を受信することが可能である。
【発明を実施するための最良の形態】
【００２３】
以下、本発明に係るＴＶチューナ付携帯情報端末装置の一実施形態について図面を参照して説明する。
【００２４】
まず、本発明に係るＴＶチューナ付携帯情報端末装置の構成及び動作の説明に先立って、本装置の使用形態について、図１を用いて説明する。
【００２５】
図１は、本発明に係るＴＶチューナ付携帯情報端末装置の使用形態を示すシステムブロック図である。
【００２６】
図１に示すように、本装置の使用形態は、大きく分けて、地上デジタル放送局１０のアンテナ１１から放送される「１セグ放送」等の放送電波を放送波受信アンテナ２０で受信する系統と、高速インターネット網１２に接続している地上デジタル放送局１０からの放送コンテンツ又は地上デジタル放送局１０との仲介役である高速インターネット網１２と接続されているコンテンツ・プロバイダ（例えば、種々の放送局からのコンテンツを収集して、配信する配信元をいうものとする）からの放送コンテンツが高速インターネットＩＦ（１４）及び高速携帯移動通信網（通信キャリア）１５を介して、高速無線通信を行う基地局のアンテナ１６から放送され、この放送電波を携帯電話受信アンテナ２２で受信する系統から成立している。
【００２７】
上記に示した受信系統において、携帯電話端末装置１７は、例えば、電波の受信環境状態が良好である状態で地上デジタル放送局１０から受信している際に、例えば、携帯電話端末装置１７が移動し、電波受信環境状態が悪化して、受信状態を表す電波強度やトランスポートストリーム（以下、「ＴＳ」と略称する。）のフレーム信号の誤り率が所定の値以下となったと判断すると、自動的に、最近隣の高速無線通信を行う基地局１９にアクセスし、地上デジタル放送局から放送されている１セグ放送受信から、高速無線通信を行う基地局からの受信波に切り替えて、１セグ放送のチャンネルと同じ番組を途切れることなく、受信するものである。
【００２８】
逆に、１セグ放送の受信状態が良好となったと判定した場合には、即座に高速無線通信の基地局から１セグ放送の受信に切り替えるものである。
【００２９】
なお、近隣の適切な高速無線通信を行う基地局１９の選択にあたっては、例えば、受信波の最も電波強度の強い基地局を選ぶようにしても良い。
【００３０】
ここで、高速インターネット網１２→高速インターネットＩＦ（１４）→携帯移動通信網（通信キャリア）１５を通過して放送される放送コンテンツは、種々の通信回線を介して伝送されるため、地上デジタル放送局から直接放送される放送コンテンツよりは、遅れて受信されることになり、切替えをスムーズに移行するために、地上デジタル放送局からの放送信号を時間的に遅らせる信号遅延部を設ける。
【００３１】
また、地上デジタル放送局１０から放送されている放送電波は、常時放送される一方、高速インターネット網から配信される放送コンテンツの配信開始は、地上波デジタル放送局１０又はコンテンツプロバイダ１３が、携帯電話端末装置１７から放送受信開始要求を受け付けた時点から開始されるものとする。この場合、その配信開始要求タイミングは、地上デジタル放送局１０からの直接放送波を受信開始した時点でも良いし、直接放送波の受信環境状態が悪化し、通信方式の切替時点としても良い。
【００３２】
なお、現在、放送コンテンツの配信形態については、通信事業者等の関係業者において種々の検討が進められている。
【００３３】
上記では、地上デジタル放送、特に「１セグ放送」の受信を中心に説明してきたが、例えば、地上波アナログテレビジョン放送、ＢＳ（Ｂｒｏｏａｄｃａｓｔ  Ｓａｔｅｌｌｉｔｅ）放送、ＣＳ（Ｃｏｍｍｕｎｉｃａｔｉｏｎ  Ｓａｔｅｌｌｉｔｅ）放送等を受信する場合であっても良いし、音楽放送として、アナログＦＭ／ＡＭ放送、デジタル音楽放送であっても良い。
【００３４】
携帯移動通信網（通信キャリア）１５に使用される高速通信方式として、現在普及している第３世代（３Ｇ）（例えば、Ｗ−ＣＤＭＡやｃｄｍａ２０００等の方式）から、将来の３．５Ｇ（例えば、ＨＳＤＰＡ等）、３．９世代（スーパー３Ｇ）、第４世代と高速通信伝送の実現に向けて開発が進められている。
【００３５】
このようにして、高品質なデジタル放送を常時視聴することができるとともに、できる限り、高速移動無線通信網に接続されている基地局と接続している時間を少なくし、高速データ通信料のコスト低減を図ることができる。
【００３６】
以上、システムの概要について説明したが、以下に、図２を用いて、ＴＶチューナ付携帯情報端末装置の構成について詳しく説明する。
なお、以下、ＴＶチューナ付携帯電話装置を例に説明するものとする。
【００３７】
図２は、本発明に係るＴＶチューナ付携帯電話装置の構成を示す概略ブロック図である。
【００３８】
図２に示すように、本発明に係るＴＶチューナ付携帯電話装置１７は、地上デジタル放送局１０からの１セグ放送を受信するアンテナ２０と、１セグ放送を復調するテレビチューナ復調モジュール（以下、「１セグ放送復調モジュール」という）２３と、高速移動無線通信網に接続されている基地局からの放送を受信するアンテナ２０と、この受信した受信信号を復調する携帯電話復調モジュール２１と、１セグ放送復調モジュール２３により復調されるＴＳフレームから生成されるＰＥＳ（Ｐａｃｋｅｔｉｚｅｄ  Ｅｌｅｍｅｎｔａｒｙ  Ｓｔｒｅａｍ）と携帯電話復調モジュール２３から生成されるビットストリームとを切り替える切り替え手段等を備える切替部２４と、本装置全体の制御を司る制御部２５と、切替部２４によって切り替えられた映像・音声を含んだストリームデータを映像／音声信号に変換する映像／音声制御部２６と、映像信号を表示する表示部２７と、音声信号を出力する音声出力部２８と、を備えて構成される。
【００３９】
また、上述したように、ブロードバンドインターネット１２、高速移動通信網１５を介して、最終的に、基地局１６から発信される地上デジタル放送局１０又はコンテンツプロバイダ１３の放送データの到達時間の方が、直接地上デジタル放送局１０からの放送データの到達時間よりも長く、この遅延時間も通信環境状態によって、変動する。
【００４０】
従って、本発明に係るＴＶチューナ付携帯電話１７は、ユーザが視聴するにあたって、違和感なくスムーズに高速移動無線通信網に接続されている基地局１６からの受信に移行させるために、基地局１６との通信の確立時に、地上デジタル放送局１０からの放送信号と基地局１６からの放送信号との到達遅延時間を算出する遅延時間算出手段により、１セグ放送復調モジュール２３から出力される復調信号を上記算出した遅延時間分遅延させる信号遅延部２９を備えている。
【００４１】
ここで、上記遅延時間算出手段は、例えば、１セグ放送復調モジュール２３及び携帯電話復調モジュール２１から出力されるストリームデータのパケットに含まれている映像・音声データ以外の管理情報（時間、フレーム番号等）を比較して、遅延時間を算出するようにしてもよい。
【００４２】
１セグ放送復調モジュール２３から出力されるストリームデータは、最低、上記算出された遅延時間分、記憶装置等に記憶させておく必要がある。なお、記憶装置としては、ＦＩＦＯ形式の記憶方式であって良い。
【００４３】
このように、１セグチューナ２３ａにより受信した後、復調器（図２では、ＯＦＤＭ復調器としている）により復調する復調系統と、高速移動ネットワーク網を介して放送信号をＲＦ部２１ａで受信した後、復調器（図２では、ＣＤＭＡ復調器としている）を復調する復調系統の２つの復調系統からなり、１セグ放送の受信状況を常時監視し、１セグ放送受信と高速移動通信ネットワーク網を介した放送信号の受信を適宜切替えながら、常に良好、高品質な放送を受信する構成となっている。
【００４４】
なお、切替部２４は、１セグ放送のフレーム信号の誤り率や受信レベル（電波強度）の検出を行い、誤り率や受信レベルの低下が検出され、高速移動無線通信網に接続されている基地局１６からの放送を受信する必要があると判定された場合、１セグ放送復調モジュール２３のストリームデータから携帯電話復調モジュール２１のストリームデータに切り替える。また、上記誤り率や受信レベルが再度、所定のレベルに戻った場合に、速やかに１セグ放送の受信に切り替える。
【００４５】
また、高速移動無線通信網に接続されている基地局１６からの放送受信に切り替える場合には、そのつど、適切な基地局を選択した後、その基地局に対して接続要求を送信し、基地局からの接続許可信号を受信することによって、基地局からの受信のルートを確立する。但し、図２の構成図には、この受信ルートを確立させる送信系統については、図示していない。
【００４６】
また、本実施形態では、１セグＴＶチューナを備えた構成について説明しているが、ラジオ放送チューナ付の場合でも同様な形態で実施可能である。
【００４７】
次に、図３を用いて、本装置の動作について説明する。
【００４８】
ここで、図３は、本発明に係るＴＶチューナ付携帯情報端末装置の概略動作を示すフロー図である。
【００４９】
まず、１セグ放送の受信の開始を行う（ステップＳ１０）。この場合、既に、１セグ放送が良好に受信されている状態から説明を開始するが、一般性を失わないため、以下、説明を続ける。
【００５０】
現在受信しているＴＳデータから視聴している番組のチャンネル番号等の情報を抽出し、記憶するとともに、地上デジタル放送局又はコンテンツプロバイダに対して、ＩＰ網（高速移動無線通信網）に送信開始する要求を行う（ステップＳ１１）。上記記憶したチャンネル情報に基づいて、ＩＰ網から最適な基地局のアクセス権を取得し、同一の放送のチャンネル番号のコンテンツを受信する（ステップＳ１２）。
【００５１】
そして、１セグ放送信号の受信到達時間とＩＰ網を介した放送信号の受信到達時間との遅延時間（差分時間）を求めて、記憶する（ステップＳ１３）。
【００５２】
次に、一旦、ＩＰ網からの放送受信を終了し（ステップＳ１４）、ステップＳ１３で得られた遅延時間分遅らせて受信する（ステップＳ１５）。これにより、ＩＰ網の基地局からの受信信号への切替えをスムーズに行い、違和感のない映像をユーザに提供することができる。
【００５３】
ここで、１セグ視聴終了の場合には（ステップＳ１６；ＹＥＳ）、本処理を終了し、受信終了でない場合には（ステップＳ１６；ＮＯ）、現在視聴している１セグ放送の受信環境状態が悪化したか否かを判定（切替部２４により、フレーム信号誤り率や受信レベルが所定の値よりも低下したか否かを判定）し（ステップＳ１７）、悪化していない場合には（ステップＳ１７；ＮＯ）、ステップＳ１５に戻る。
【００５４】
また、悪化したと判定すると（ステップＳ１７；ＹＥＳ）、１セグ放送の視聴を終了し（ステップＳ１８）、ステップＳ１２でアクセス権を取得した基地局から放送受信を再開し、ステップＳ１１で記憶したＣＨ情報と同一のチャンネルの番号の番組を視聴する（ステップＳ１９）。
【００５５】
さらに、移動通信網から視聴終了の場合には（ステップＳ２０；ＹＥＳ）、本処理を終了し、視聴終了でない場合には（ステップＳ２０；ＮＯ）、１セグ放送の受信環境状態が元にもどり、良好となったと判定すると（ステップＳ２１；ＹＥＳ）、ステップＳ１２に戻り、適切な基地局であることを確認するために、再度、基地局の選択処理を行う。
【００５６】
以上説明したように、地上波による受信が困難な電波状況となった場合でも、自動的にＩＰ網に接続されている基地局からの放送の受信に切替えて、途切れることなく、高品質の放送を受信することが可能である。
【００５７】
また、地上波からＩＰ網に接続されている基地局からの配信に切り替える際に、基地局からの配信が遅れることから生じる切替え時の違和感を解消することも可能である。
【００５８】
尚、本発明に係るＴＶチューナ付き携帯情報端末装置は、上記した実施形態に限定されるものではなく、本発明の要旨を逸脱しない範囲内において種々変更を加え得ることは勿論である。
【図面の簡単な説明】
【００５９】
【図１】本発明に係るＴＶチューナ付携帯情報端末装置の使用形態を示すシステムブロック図である。
【図２】本発明に係るＴＶチューナ付携帯情報端末装置の概略構成を示すブロック図である。
【図３】本発明に係るＴＶチューナ付携帯情報端末装置の概略動作を示すフロー図である。
【符号の説明】
【００６０】
１０  地上デジタル放送局
１１  地上デジタル放送局のアンテナ
１２  インターネット
１３  コンテンツプロバイダ
１４  インターネットＩＦ
１５  携帯電話網
１６  無線基地局
１７  携帯電話端末装置
１８  コンテンツプロバイダ用受信アンテナ
２０  放送受信アンテナ
２１  携帯電話復調モジュール
２１ａ  ＲＦ部
２１ｂ  ＣＤＭＡ復調器
２２  携帯電話受信アンテナ
２３  １セグ放送復調モジュール
２３ａ  １セグチューナ
２３ｂ  ＯＦＤＭ復調器
２４  切替部
２５  制御部
２６  映像／音声制御部
２７  表示部
２８  音声出力部
２９  信号遅延部
【図１】
2007259243.tif 000003
【図２】
2007259243.tif 000004
【図３】
2007259243.tif 000005